(57)【要約】【課題】使用しない場合は折り畳んだ状態にし、使用時に展開する折り畳み式の食品容器であって、従来の技術に見られるように食品包装容器が展開した状態を保つために別途支持板を嵌め込むことなく安定した展開状態が得られる組み立て式角形状弁当容器を提供する。【解決手段】組み立て式角形状食品収納容器において、蓋面板部と木製側面板部と樹脂製食品収納容器とからなり、蓋面板部は、２．５〜３．５ｍｍの厚さの木製平板の角形形状で、側面板部は、３〜８箇所で折り曲げ可能な箇所を持つ２．５〜３．５ｍｍの厚さの１５〜１００μｍの紙、又はポリオレフィンフイルムを片面に被膜した一枚の木製平板で、樹脂製食品収納容器は、加工した食品が収納できる０．１〜０．５ｍｍ厚さのポリオレフィン系弁当箱形状の容器で、高さ３０〜７０ｍｍで容積として５００〜１０００ｍｌである組み立て式角形状弁当容器である。【選択図】図１
0003223424.tif 000002
【実用新案登録請求の範囲】
【請求項１】
組み立て式角形状食品収納容器において、蓋面板部と木製側面板部と樹脂製食品収納容器とからなり、蓋面板部は、２．５〜３．５ｍｍの厚さの木製平板の角形形状で、側面板部は、３〜８箇所で折り曲げ可能な箇所を持つ２．５〜３．５ｍｍの厚さの１５〜１００μｍの紙、又はポリオレフィンフイルムを片面に被膜した一枚の細長い木製平板で、樹脂製食品収納容器は、加工した食品が収納できる０．１〜０．５ｍｍ厚さのポリオレフィン系弁当箱形状の容器で、高さ３０〜７０ｍｍで容積として５００〜１５００ｍｌであることを特徴とする組み立て式角形状弁当容器。
【請求項２】
側面板部は、幅３０〜７０ｍｍで、長さ３００〜８００ｍｍの２．５〜３．５ｍｍの厚さの木製材で、紙、又はポリオレフィンフイルムを被膜していない打ち合わせ内側の板面に３〜８箇所に二連Ｖ字掘り込み体を設けており、前記二連Ｖ字掘り込み体は
二個の連続のＶ字掘り込み部をもったもので、Ｖ字掘り込み間隔を２〜３ｍｍにして、Ｖ字の掘り込み口部の幅を４〜５ｍｍ、高さを２〜３ｍｍにして、両先端の結合のために、両先端部の２０〜３０ｍｍの幅で１．４〜１．７ｍｍの厚さに切削して、切削した両先端を接着剤にて接合させていることを特徴とする請求項１に記載の組み立て式角形状弁当容器。
【請求項３】
樹脂製食品収納容器は、ポリオレフィン系樹脂成型によって製作されたもので高さ３０〜７０ｍｍで容積として５００〜１０００ｍｌである０．１〜０．５ｍｍ厚さの弁当箱形状の容器で上部の縁を２．５〜３．５ｍｍの縁部を設けて、前記縁部を前記側面板部の厚部に掛けて、内部に挿入できるものであり、
前記食品収納容器の底部面は開口上面の面積より８０〜９０％の面積にして、高さの傾斜を持たせて２５〜６５ｍｍにしていることを特徴とする請求項１〜請求項３のいずれかに記載の組み立て式角形状弁当容器。
【考案の詳細な説明】
【技術分野】
【０００１】この考案は箱形の木質板を外面して、内部に食品包装容器に収納できる木質組み立て式角形状弁当容器に関する。
【背景技術】
【０００２】従来の折り畳み可能な木質弁当容器は、板材の一方の面に折り溝を形成し、この折り溝で板材の両端を折り曲げて弁当容器の一対の側壁と、及び底面を形成する。板材の短手方向の両端に近い位置にそれぞれ対称の折り溝を形成し、折り溝で板材の両端を折り曲げて板材の両端が直立した状態において断面がコの字状を呈するようにする。また、長手方向の両端は紙材で塞ぐ方法が提案されている。【０００３】食品収納の内容器と、該内容器を収容する外枠と、前記内容器と前記外枠とを固定する固定手段を備える食品包装用容器であって、前記外枠は、長方形の底板と、該底板の一辺に折り曲げ可能に接続される長方形の第１側板と、前記底板の一辺に対向する他辺に接続される長方形の第２側板と、前記第２側板の前記底板と接続されている辺に対向する対向辺に折り曲げ可能に接続される長方形の蓋板を有している食品包装用容器が提案されている（特許文献１参照）。【０００４】容易に折り畳める経木を使用した食品包装用容器を提供することを目的として、内面に紙を貼った経木の外面の両端から、容器の深さに値するところに、経木の繊維方向に垂直になるように切り込みやＶカットを入れて、両端を内側に折り曲げて容器の底と側板とする。両側板を底から垂直に立ち上げたり、内側に折り曲げたりを可能にするために両側板を底から垂直に立ち上げたまま、妻板側に紙を貼り、垂直に立ち上げた両側板と底を固定する。これで底に連結した両側板は底から垂直に立ち上がり外側には倒れず、内側だけに折り畳められる容器が提案されている（特許文献２参照）。【０００５】木目をもって木の香りがした食事用具の食品包装容器において、食品を簡単に包装できて、容器自体も衛生的見地から、木製薄板で加工された食品包装用具として、針葉樹林であるエゾマツ材、モミ材、ヒノキ材、スギ材、マツ材から選ばれた厚さ０．１〜１ｍｍの木製の薄平板の上片面に、和紙、又はポリオレフィンの極薄品のフイルムで食品安全な接着剤によって接着被覆された自然木状表面を持つ擬似未加工状態の薄板によって、厚さ３〜１２ｍｍ、縦３０〜１５０ｍｍ、長さ１００〜５００ｍｍの長方形、正方形、台形の木製板の２〜４枚を両端にして、前記木製板の周囲全体を巻くように覆って、内部を前記の針葉樹材の表面を持つ木製容器になっている木製薄板使用食品包装用具が提案されている（特許文献３参照）。【０００６】組立式であって、使用後、平板状のまま容器の四隅を洗いやすく、収納を楽にした一枚のシート材に折り目加工をした特徴ある折り畳み式の食品容器を提供するために、底部の四隅方向の折り目を介して左右の壁と前後の壁を設け、更に前後の壁の延長である先端の折込部を内側に折り曲げ、折込部の更に内側と前後の壁の内側に留め部を備えたシート材の折り畳み式の食品容器が提案されている（特許文献４参照）。【０００７】使用しない場合は折り畳んだ状態にし、使用時に展開する折り畳み式の弁当容器であって、従来の技術に見られるように弁当容器が展開した状態を保つために別途支持板を嵌め込むことなく、弁当容器の安定した展開状態が得られる木質弁当容器を提供する。木質の弁当容器であって、底面部と、該底面部の短手方向の両側辺にそれぞれ連結する一対の第１側面部と、該底面部の長手方向の両側辺にそれぞれ連結する一対の第２側面部とを有する板材と、及び該底面部と該第２側面部との間に貼着して、展開した場合該第１側面部とともに該弁当容器が展開した状態を保つように設けた端面封着紙と、によって構成することが提案されている（特許文献５参照）。【０００８】在庫管理を容易にするために、樹脂製、紙製の折り畳み式平面状食品包装容器は種々存在しているが、木製側板と蓋板を持つ折り畳み式平面状食品包装容器は見当たらない。特に木材の折り曲げの技術に課題をもっている。
【先行技術文献】
【特許文献】
【０００９】
【特許文献１】特開２０１８−１７７２８０号公報
【特許文献２】特開２００６−１８８２４４号公報
【特許文献３】特開２０１６−１９６３２７号公報
【特許文献４】実開平５−２９９２５号公報
【特許文献５】実用新案登録第３１３４１１１号公報
【考案の概要】
【考案が解決しようとする課題】
【００１０】この考案は、使用しない場合は折り畳んだ状態にし、使用時に展開する折り畳み式の外見は木材である包装容器であって、従来の技術に見られるように樹脂製、紙製の食品包装容器が展開した状態を保つために別途支持板、あるいは特殊形状である樹脂容器を嵌め込むことなく、食品収納の木製板容器の安定した展開状態が得られる木質平板状包装容器を提供する。従来の問題点に鑑みてなされたもので、木製薄板の木製薄板使用食品包装用具に簡単に食品を包装することができて、また木の温もりと木の香りとその殺菌性で衛生的な木製板側板、蓋板の食事用具で、汚れを少なくすることもできることが期待されている。特に簡単に食品の包装ができて、使い捨てが容易であり、しかも側板での木製で木の香りをもって、自然観を持たせた食事用具を提供することを課題としたものである。【００１１】前記の点に鑑みなされたものであり、木材の容器の折り畳みを可能とし、省スペース化を図ることにより廃棄や回収時の効率を高めることができる新たな容器並びにその折り畳みのための構造を提供するものである。容器の折り畳みを可能とし、省スペース化を図ることにより廃棄や回収時の効率を高めることができる新たな容器並びにその折り畳みのための構造、さらにこの容器を用いた食品を提供するものである。
【課題を解決するための手段】
【００１２】組み立て式角形状食品収納容器において、蓋面板部と木製側面板部と樹脂製食品収納容器とからなり、蓋面板部は、２．５〜３．５ｍｍの厚さの木製平板の角形形状で、側面板部は、３〜８箇所で折り曲げ可能な箇所を持つ２．５〜３．５ｍｍの厚さの１５〜１００μｍの紙、又はポリオレフィンフイルムを片面に被膜した一枚の木製平板で、樹脂製食品収納容器は、加工した食品が収納できる０．１〜０．５ｍｍ厚さのポリオレフィン系弁当箱形状の容器で、高さ３０〜７０ｍｍで容積として５００〜１０００ｍｌである組み立て式角形状弁当容器。【００１３】側面板部は、幅３０〜７０ｍｍで、長さ３００〜８００ｍｍの２．５〜３．５ｍｍの厚さの木製材であるファルカタ材、又松材で、紙、又はポリオレフィンフイルムを被膜していない内側板面に３〜８箇所に二連Ｖ字掘り込み体を設けており、前記二連Ｖ字掘り込み体は二個の連続のＶ字掘り込み部をもったもので、Ｖ字掘り込み間隔を２〜３ｍｍにして、Ｖ字の掘り込み口部の幅を４〜５ｍｍ、高さを２〜３ｍｍにして、両先端の結合のために、両先端部の２０〜３０ｍｍの幅で１．４〜１．７ｍｍの厚さに切削して、切削した両先端を接着剤にて接合させている。【００１４】樹脂製食品収納容器は、ポリオレフィン系樹脂成型によって製作されたもので高さ３０〜７０ｍｍで容積として５００〜１５００ｍｌである０．１〜０．５ｍｍ厚さの弁当箱形状の容器で上部の縁を２．５〜３．５ｍｍの縁部を設けて、前記縁部を前記側面板部の厚部に掛けて、内部に挿入できるものであり、
前記食品収納容器の底部面は開口上面の面積より８０〜９０％の面積にして、高さの傾斜を持たせて２５〜６５ｍｍにしている。【００１５】角形形状である蓋面板部は、主体として２．５〜３．５ｍｍの厚さのファルカタ木製平板の一辺４０〜２５０ｍｍの三角形、四角形、五角形、六角形、八角形である。材料としては木製、樹脂製、紙製でもよい。蓋として置き蓋、被せ蓋、嵌め込み蓋があるが、置き蓋の場合には、各角形状の角部分で端から２．５〜３．５ｍｍのところの３〜４箇所に直径３５ｍｍの深さ３〜５ｍｍの円形穴部を設けて、樹脂製食品収納容器の上部の縁部に取り付けている凸部に接合できるようになっている。
【考案の効果】
【００１６】この考案による木質材の折り畳み式平面状食品包装容器は、側板面部を折り畳みによって包装容器になる厚さの１枚の側板と蓋板の平板からなっており、数箇所折りになっている側面部を一体に成形することによって製造工程を簡易化することができるため、製品の歩留まりを高めることができるとともに、収納、保管も簡素になり、大きな容量を取ることもなく、折り畳んで収納、搬送する場合に便利である。また収納して樹脂製食品包装容器でも使用する場合に加温も可能になって、弁当容器として展開した状態で外観、機能の面で確実に保つことができるという利点を有する。また木の温もりと木の香りとその殺菌性で衛生的な木製板側板、蓋板になっている。
【図面の簡単な説明】
【００１７】
【図１】組み立て式角形状弁当容器を示した斜視図である。Ａ：透明樹脂蓋容器  Ｂ：木製蓋容器
【図２】組み立て式角形状弁当容器の部品を示した説明図である。Ａ：木製側面板部  Ｂ：樹脂製食品収納容器  Ｃ：蓋面板
【図３】組み立て式角形状弁当容器の収納容器にける木製側面板部の状態を示した図である。Ａ：横面図  Ｂ：縦面図  Ｃ：組み立て図
【考案を実施するための形態】
【００１８】この考案は、使用しない場合は折り畳んで収納することができ、展開して弁当容器として使用できる折り畳み式平面状食品包装容器を提供するものであって、蓋面部と底面部と、該底面部の短手方向の両側辺にそれぞれ連結する一対の第１側面部と、該底面部の長手方向の両側辺にそれぞれ連結する一対の第２側面部とを有する板材と、及び該底面部と該第２側面部との間に貼着して、展開した場合該第１側面部とともに該折り畳み式平面状食品包装容器が展開した状態を保つように設けた。
【００１９】かかる折り畳み式平面状食品包装容器の構造と特徴を説明するために、具体的な実施例を挙げ、図面を参照にして以下に説明する。
【実施例１】
【００２０】図１Ａに示すように、組み立て式角形状食品収納容器において、透明樹脂製蓋面板部と木製側面板部と樹脂製食品収納容器とからなり、図２Ａ，Ｂ，Ｃに示すように蓋面板部は、０．５ｍｍの厚さのポリオレフィン性樹脂の透明角形形状で、側面板部は、図３に示すように４箇所で折り曲げ可能な箇所を持つ０．３ｍｍの厚さの５０μｍのポリオレフィンフイルムを片面に被膜した一枚の木製平板で、樹脂製食品収納容器は、加工した食品が収納できる０．３ｍｍ厚さのポリオレフィン系弁当箱形状の容器で、高さ４０ｍｍで容積として８００ｍｌである組み立て式角形状弁当容器である。【００２１】側面板部は、幅４０ｍｍで、長さ６００ｍｍの３ｍｍの厚さの木製ファルカタ材で、ポリオレフィンフイルムを被膜していない板面に４箇所に二連Ｖ字掘り込み体を設けており、図３に示すように前記二連Ｖ字掘り込み体は二連のＶ字掘り込みで、Ｖ字掘り込み間隔を２．５ｍｍにして、Ｖ字の掘り込み口の幅を４．５ｍｍ、高さを２．５ｍｍにして、両先端の結合のために、両先端部の２００ｍｍの幅で１．５ｍｍの厚さに切削して、切削した両先端を接着剤にて接合させた。【００２２】樹脂製食品収納容器は、ポリオレフィン系樹脂成型によって製作されたものに高さ４０ｍｍで容積として８００ｍｌである弁当箱形状の容器で上部の縁を３ｍｍの縁部を設けて、前記縁部を前記側面板部の厚部に掛けて、内部に挿入できるものであり、前記食品収納容器の底部は上面の面積より８０％の面積にして、高さの傾斜を持たせて４５ｍｍにした。
【実施例２】
【００２３】図１Ｂに示されるように、組み立て式角形状食品収納容器において、木製の蓋面板部と木製側面板部と樹脂製食品収納容器とからなり、蓋面板部は、３ｍｍの厚さの木製平板で、側面板部は、４箇所で折り曲げ可能な箇所を持つ３．５ｍｍの厚さの５０μｍの紙、又はポリオレフィンフイルムを片面に被膜した一枚の木製平板で、樹脂製食品収納容器は、加工した食品が収納できる０．５ｍｍ厚さのポリオレフィン系弁当箱形状の容器で、高さ５０ｍｍで容積として１０００ｍｌである組み立て式角形状弁当容器であった。【００２４】側面板部は、幅５０ｍｍで、長さ３００〜８００ｍｍの３．５ｍｍの厚さの木製ファルカタ材で、紙を被膜していない板面に４箇所に二連字掘り込み体を設けており、前記二連Ｖ字掘り込み体は二連のＶ字掘り込みで、Ｖ字掘り込み間隔を３ｍｍにして、Ｖ字の掘り込み口の幅を３ｍｍ、高さを３ｍｍにして、両先端の結合のために、両先端部の３０ｍｍの幅で１．５ｍｍの厚さに切削して、切削した両先端を接着剤にて接合させた。【００２５】角形形状である蓋面板部は、３ｍｍの厚さのファルカタ木製平板の一辺１５０ｍｍの四角形であって、各角形状の角部分で端から３．５ｍｍのところの４箇所に直径４ｍｍの深さ４ｍｍの円形穴部を設けて、樹脂製食品収納容器の上部の縁部に取り付けている凸部に接合できるようにした。【００２６】樹脂製食品収納容器は、ポリオレフィン系樹脂成型によって製作されたものに高さ５０ｍｍで容積として１０００ｍｌである０．５ｍｍ厚さの弁当箱形状の容器で上部の縁を２．５ｍｍの縁部を設けて、前記縁部を前記側面板部の厚部に掛けて、内部に挿入できるものであり、前記樹脂製食品収納容器における縁部の４箇所に直径２．５ｍｍの深さ２．５ｍｍの凸部を設けて、前記食品収納容器の底部は上面の面積より８０％の面積にして、高さの傾斜を持たせて２５ｍｍにした。
【実施例３】
【００２７】実施例１と同様に組み立て式角形状食品収納容器において、蓋面板部と木製側面板部と樹脂製食品収納容器とからなり、蓋面板部は、３．５ｍｍの厚さの木製平板の角形形状で、側面板部は、４箇所で折り曲げ可能な箇所を持つ３．５ｍｍの厚さの２５μｍのポリエルテルフイルムを片面に被膜した一枚の木製平板で、樹脂製食品収納容器は、加工した食品が収納できる〜０．５ｍｍ厚さのポリオレフィン系弁当箱形状の容器で、高さ５０ｍｍである組み立て式角形状弁当容器であった。【００２８】側面板部は、幅５０ｍｍで、長さ５００ｍｍの３．５ｍｍの厚さの木製ファルカタ材で、ポリオレフィンフイルムを被膜していない板面に４箇所に二連Ｖ字掘り込み体を設けており、前記二連Ｖ字掘り込み体は二連のＶ字掘り込みで、Ｖ字掘り込み間隔を３ｍｍにして、Ｖ字の掘り込み口の幅を５ｍｍ、高さを３ｍｍにして、両先端の結合のために、両先端部の３０ｍｍの幅で１．７ｍｍの厚さに切削して、切削した両先端を接着剤にて接合させた。【００２９】樹脂製食品収納容器は、ポリオレフィン系樹脂成型によって製作されたもので高さ３０〜７０ｍｍで容積として約１０００ｍｌである０．５ｍｍ厚さの弁当箱形状の容器で上部の縁を３．５ｍｍの縁部を設けて、前記縁部を前記側面板部の厚部に掛けて、内部に挿入できるものであり前記食品収納容器の底部は上面の面積より８０％の面積にして、高さの傾斜を持たせて４５ｍｍにした。
【符号の説明】
【００３０】      １．  組み立て式角形状弁当容器
２．  側面板
３．  樹脂製蓋
４．  木製蓋
５．  樹脂製食品収納容器
６．  削り部
７．  木製ファルカタ材
８．  折り曲げ部
９．  凹部
１０．凸部
１１．縁部
１２．穴部
１３．木目
１４．掘り込み部
【図１】
0003223424.tif 000003
【図２】
0003223424.tif 000004
【図３】
0003223424.tif 000005
【手続補正書】
【提出日】令和1年7月23日(2019.7.23)
【手続補正１】
【補正対象書類名】実用新案登録請求の範囲
【補正対象項目名】全文
【補正方法】変更
【補正の内容】
【実用新案登録請求の範囲】
【請求項１】
組み立て式角形状食品収納容器において、蓋面板部と木製側面板部と樹脂製食品収納容器とからなり、蓋面板部は、２．５〜３．５ｍｍの厚さの木製平板の角形形状で、側面板部は、３〜８箇所で折り曲げ可能な箇所を持つ２．５〜３．５ｍｍの厚さの１５〜１００μｍの紙、又はポリオレフィンフイルムを片面に被膜した一枚の細長い木製平板で、樹脂製食品収納容器は、加工した食品が収納できる０．１〜０．５ｍｍ厚さのポリオレフィン系弁当箱形状の容器で、高さ３０〜７０ｍｍで容積として５００〜１５００ｍｌであることを特徴とする組み立て式角形状弁当容器。
【請求項２】
側面板部は、幅３０〜７０ｍｍで、長さ３００〜８００ｍｍの２．５〜３．５ｍｍの厚さの木製材で、紙、又はポリオレフィンフイルムを被膜していない打ち合わせ内側の板面に３〜８箇所に二連Ｖ字掘り込み体を設けており、前記二連Ｖ字掘り込み体は
二個の連続のＶ字掘り込み部をもったもので、Ｖ字掘り込み間隔を２〜３ｍｍにして、Ｖ字の掘り込み口部の幅を４〜５ｍｍ、高さを２〜３ｍｍにして、両先端の結合のために、両先端部の２０〜３０ｍｍの幅で１．４〜１．７ｍｍの厚さに切削して、切削した両先端を接着剤にて接合させていることを特徴とする請求項１に記載の組み立て式角形状弁当容器。
【請求項３】
樹脂製食品収納容器は、ポリオレフィン系樹脂成型によって製作されたもので高さ３０〜７０ｍｍで容積として５００〜１０００ｍｌである０．１〜０．５ｍｍ厚さの弁当箱形状の容器で上部の縁を２．５〜３．５ｍｍの縁部を設けて、前記縁部を前記側面板部の厚部に掛けて、内部に挿入できるものであり、
前記食品収納容器の底部面は開口上面の面積より８０〜９０％の面積にして、高さの傾斜を持たせて２５〜６５ｍｍにしていることを特徴とする請求項１又は請求項２に記載の組み立て式角形状弁当容器。